(57)【要約】【課題】  携帯用の照明器具における蛍光管をがたつかせずにしっかりと保持し、外部からの衝撃、振動等に耐え、安定、確実に支持する。【解決手段】  携帯用の照明器具における蛍光管の照明灯Ｌを支持するに際し、電源端子２を内部に備えた筒状のソケット本体１の前面を閉塞し、電源端子２に電極端子Ｐを挿入させる電極挿入部１４を開口してある前面閉塞部１３に、照明灯Ｌの端部を保持するよう側方に支持開口を形成してあるグリップ体２０を一体状に設ける。グリップ体２０は、前面閉塞部１３に基底部によって一体状に連設し、弾発的に開閉する支持開口となっている左右の狭持片２１を備えた正面ほぼＣ字状を呈し、グリップ体２０の内周径は照明灯Ｌの外周径に比しやや小さくし、照明灯Ｌの中心位置がグリップ体２０の中心位置に比し基底部側寄りに位置するよう構成する。【選択図】      図１
2005093092.tif 000002
【特許請求の範囲】
【請求項１】
照明灯を照明源とする携帯用の照明器具における照明灯用のソケットにおいて、電源端子を内部に備えた筒状のソケット本体の前面を閉塞し、電源端子に照明灯の電極端子を挿入させるよう電極挿入部が開口されている前面閉塞部に、照明灯の端部を保持するよう側方に支持開口が形成されているグリップ体を一体状に設けたことを特徴とする照明灯ソケット。
【請求項２】
グリップ体は、ソケット本体の前面閉塞部に基底部によって一体状に連設され、ソケット本体の側部がわで弾発的に開閉される支持開口となっている左右の湾曲した狭持片を備えることで正面から見てほぼＣ字状を呈している請求項１に記載の照明灯ソケット。
【請求項３】
グリップ体の内周径は照明灯の挿入部分の外周径に比しやや小さくしてあると共に、グリップ体内に支持された照明灯の中心位置がグリップ体の中心位置に比し支持開口側寄りに位置するようにしてある請求項１または２のいずれかに記載の照明灯ソケット。
【請求項４】
ソケット本体の前面閉塞部に、一対の電極挿入部夫々に各別に連通する挿入案内スリットを切欠溝状に形成してある請求項１乃至３のいずれかに記載の照明灯ソケット。
【請求項５】
電源端子は、電源コードが接続されている基部に、ソケット本体内に設けた支持部によって固定支持される固定部を介して、電極挿入部における電極端子の挿入によってソケット本体の外方側に弾発的に待避し、電極端子に係合する係合部を備えることで電極挿入部の開口側に弾発付勢されている接触部を連設して成る請求項１乃至４のいずれかに記載の照明灯ソケット。
【発明の詳細な説明】
【技術分野】
【０００１】
本発明は主として携帯用の照明器具における蛍光管をがたつかせることなくしっかりと安定的に支持できるようにした照明灯ソケットに関する。
【背景技術】
【０００２】
従来から、照明器具のランプとして蛍光管を使用する場合には、そのランプピンを差し込ませて電気的に接触させて支持する蛍光管用のソケットが用意されており、一般的にはベースに固定した円筒状のソケット本体の正面にランプピンを差し込ませるよう奥内部に電極を備えた一対の挿入孔を開穿して成る。ただ、このようなソケット本体を、蛍光管をランプとする携帯用の照明器具におけるソケットして使用するには、携帯時に扱われるときの外部からの衝撃、振動その他に耐え得ず、また接触不良による非通電状態になることもあり得るために、それらを防止すべくソケット本体正面に、蛍光管に比しやや大径の保護筒部を一体に付設し、この保護筒部内に装入配置される蛍光管端部における口金との間にガタツキ等を防止するための緩衝用のＯリングの如きゴムパッキン材を介装しているのである。
【０００３】
ところがこのゴムパッキン材は、蛍光管点灯時に発生する熱、長期使用に伴う劣化等によって摩耗消耗し、頻繁に交換しなければならず、その保守維持は煩わしく、また保護筒部は円筒状であるために保護筒内への蛍光管の口金部分の挿入も面倒である。しかも蛍光管の交換時にゴムパッキン材を紛失する虞もあり、蛍光管からの紫外線等によってゴムパッキン材が劣化し弾性を喪失してしまい、またゴムパッキン材を介装するに際し、蛍光管の口金部分にゴムパッキン材を嵌め合わせた状態で保護筒部内に差し込むものとしているも、このとき保護筒部内に摩擦を生じさせて差し込むためにゴムパッキン材自体が捻れ、蛍光管を抜き出してしまう方向での力が作用して、かえって接触不良を助長することもあった。
【０００４】
これを解消すべく、例えば特許文献１にあるようにソケット本体の前面に挿入切欠がある突出部を設けたものがある。ただ、これは蛍光管の着脱時におけるランプピンへの接触による感電を防止すること、突出部との着脱性を損なわないこと、通電部へのほこりが入りにくくなること、適合するランプ大きさに対応させること等のために設けられているのであり、口金部分をしっかりと保持するものではないのである。
【特許文献１】特開平１０−２０８８３３号公報
【発明の開示】
【発明が解決しようとする課題】
【０００５】
このように従来構造における筒状の保護筒部及びその内部に介装されるゴムパッキン材によった場合には取り扱いの煩わしさがあり、また挿入切欠がある突出部によった場合には支持すべき蛍光管における口金大きさには必ずしも対応せず、特に携帯用照明器具における蛍光管のしっかりとした支持状態を実現するものではなかったのである。
【０００６】
そこで本発明は叙上のような従来存した諸事情に鑑み創出されたもので、主として直管形態の小径な蛍光管をランプとする携帯用の照明器具において、蛍光管をがたつかせずにしっかりと保持し、外部からの衝撃、振動等に対する耐用性に優れ、安定した確実な支持状態となし、また着脱も容易であるばかりでなく、永年使用によっても劣化せず、長期にわたって使用可能であるように、特に蛍光管をランプとする携帯用の照明器具に使用するのに好適な照明灯ソケットを提供することを目的とする。
【課題を解決するための手段】
【０００７】
上述した課題を解決するため、本発明にあっては、蛍光管の如き照明灯Ｌを照明源とする携帯用の照明器具における照明灯Ｌ用のソケットにおいて、電源端子２を内部に備えた筒状のソケット本体１の前面を閉塞し、電源端子２に照明灯Ｌの電極端子Ｐを挿入させるよう電極挿入部１４が開口されている前面閉塞部１３に、照明灯Ｌの端部を保持するよう側方に支持開口が形成されているグリップ体２０を一体状に設けたものである。
グリップ体２０は、ソケット本体１の前面閉塞部１３に基底部によって一体状に連設され、ソケット本体１の側部がわで弾発的に開閉される支持開口となっている左右の湾曲した狭持片２１を備えることで正面から見てほぼＣ字状を呈しているものとして、更には、グリップ体２０の内周径は照明灯Ｌの挿入部分の外周径に比しやや小さくしてあると共に、グリップ体２０内に支持された照明灯Ｌの中心位置がグリップ体２０の中心位置に比し支持開口側寄りに位置するようにして構成することができる。
ソケット本体１の前面閉塞部１３に、一対の電極挿入部１４夫々に各別に連通する挿入案内スリット１５を切欠溝状に形成して構成することができる。
また電源端子２は、電源コード３が接続されている基部２Ａに、ソケット本体１内に設けた支持部５によって固定支持される固定部２Ｂを介して、電極挿入部１４における電極端子Ｐの挿入によってソケット本体１の外方側に弾発的に待避し、電極端子Ｐに係合する係合部２Ｄを備えることで電極挿入部１４の開口側に弾発付勢されている接触部２Ｃを連設して成るものとして構成することができる。
【０００８】
以上のように構成された本発明に係る照明灯ソケットにあって、ソケット本体１の前面に設けられたグリップ体２０は挿入した照明灯Ｌを他部材の介装を必要とせずに安定的に支持させ、その電極端子Ｐをソケット本体１内の電源端子２に確実に挿入接触させて電気的接続をも安定化させ、例えば携帯用の照明器具においての外部からの衝撃、振動その他によっても脱落させない。
グリップ体２０は、紫外線を放射する照明灯Ｌ部位を支持せず、放射される紫外線によっても劣化されず、長期に亙って照明灯Ｌを安定的に支持させ、挿入した照明灯Ｌの中心位置をグリップ体２０における中心位置に比し支持開口側に位置させていることで、左右の狭持片２１による握持状態を確実にさせ、更には電極端子Ｐの電源端子２に対する接触不良等を防止させる。
ソケット本体１における前面閉塞部１３に設けられた一対の電極挿入部１４は、夫々に連通する一対の挿入案内スリット１５によってソケット本体１の外部から連通されていることで、挿入させる照明灯Ｌはその一対の電極端子Ｐによって各別に案内されて夫々の電源端子２に各別に接触させられる。また挿入支持後で照明灯Ｌに捻れ力が作用してもグリップ体２０によって保持されていることと相俟ち照明灯Ｌをソケット本体１から離反、脱落させない。
電極挿入部１４夫々に配設した電源端子２は、挿入案内スリット１５夫々を経て案内挿入される電極端子Ｐ夫々によって外方側に接触部２Ｃが強制的に待避されると、それに伴い生じる弾発作用でその係合部２Ｄが電極端子Ｐに確実に接触し、接触不良を未然に防止させる。
【発明の効果】
【０００９】
以上のように構成された本発明によれば、主として直管形態の小径な蛍光管の如き照明灯Ｌをランプとする携帯用の照明器具において、照明灯Ｌの端部を握持するグリップ体２０によって照明灯Ｌをがたつかせずにしっかりと保持し、外部からの衝撃、振動等に耐えて安定した確実な支持状態となし、電気的な接触不良を生じさせないのであり、またソケット本体１に対する照明灯Ｌの着脱も容易であるばかりでなく、永年使用によっても劣化せず、長期にわたって使用可能なものである。
【００１０】
またソケット本体１の前面に設けたグリップ体２０は、側部に支持開口がある正面から見てほぼＣ字状を呈しているから、その支持開口位置に対応させて位置させた挿入案内スリット１５を経ての電極端子Ｐの電源端子２に対する挿入も同時に行えることで、ソケット本体１の側方からの照明灯Ｌの直接の横方向からの脱着等を可能にするのである。しかも、一対の電極挿入部１４夫々に各別に挿入案内スリット１５を連通させてあり、また支持開口の幅員が左右の挿入案内スリット１５外側相互間の幅員にほぼ等しいことで、照明灯Ｌにおける対状の電極端子Ｐ夫々は挿入案内スリット１５夫々に各別に挿入され、照明灯Ｌの一対の電極端子Ｐを一方の電極挿入部１４に挿入させるのを防止でき、確実な電気的接触を実現できるのである。
【００１１】
また前面閉塞部１３の対状に開口された孔状の電極挿入部１４夫々に対して、ソケット本体１の前方からの照明灯Ｌの電極端子Ｐ側による挿入で照明灯Ｌを支持でき、ソケット本体１に対する側方、前方を問わず、多様な形態での構成、脱着等を可能にさせるのである。対状の電極挿入部１４夫々で対状の電極端子Ｐ夫々が接触し、支持されることで、照明灯Ｌの端部がグリップ体２０によって支持されていることと相俟ち、照明灯Ｌに対する外部からの捻れ力が作用されても、照明灯Ｌがソケット本体１から脱落されることもないのである。
【００１２】
更にグリップ体２０は照明灯Ｌにおける例えば口金部分を挿入支持させるから、照明灯Ｌから放射される紫外線等が直接に当たらず、それによる劣化もなく、また従来のようにゴムパッキン材のような劣化の可能性がある別部材を介装する必要もないから、その紛失の虞もなく、長期にわたって安定的に使用できるのである。
【００１３】
特に、グリップ体２０によって支持された照明灯Ｌの中心位置が、グリップ体２０における中心位置に比しグリップ体２０の支持開口側に寄っているから、弾発的に開閉する左右の狭持片２１によって照明灯Ｌを基底部側に押し付けるようになり、照明灯Ｌを一層安定した状態で支持し、それに伴い電極端子Ｐをソケット本体１内部の電源端子２に確実に接触させることができるのである。
【００１４】
またソケット本体１内で、電極端子Ｐの挿入に伴いソケット本体１の外方側に待避される接触部２Ｃを備えた電源端子２は、待避されることで生じる弾発力によってその係合部２Ｄが電極端子Ｐに確実に接触するものとなり、その電気的接触を一層確実にさせるのである。
【００１５】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１６】
以下図面を参照して本発明を実施するための最良の一形態を説明すると、図において示される符号１は例えば図示を省略した携帯型の照明器具における照明灯ベースＢの端部夫々に互いに向き合わせられて付設される本発明に係る照明灯ソケットにおけるソケット本体である。このソケット本体１は、外部から供給される電源に接続される電源端子２を内部に備え、この電源端子２に電気的に挿入接続される例えば直管形態の蛍光管の如き照明灯Ｌの端部、例えばその口金部分を握持するグリップ体２０を前面に突出状に設けることで、円筒状に形成されている。
【００１７】
ソケット本体１自体は前面が閉塞されて、内部が空洞状に形成されており、左右一対の電源端子２を相互間で絶縁状態にして夫々支持する支持部５を内部に有し、それらの電源端子２夫々に接続される電源コード３を外部に案内外出させる挿通部１２が切欠状に設けられている背面板１１によって背面開口部分が着脱自在に閉塞されていると共に、前面閉塞部１３には照明灯Ｌ端部のピン状の電極端子Ｐを挿入させる電極挿入部１４を設けてある。尚、図中符号１６は背面板１１をソケット本体１の背面開口に係止するための係止片である。図１乃至図５に示す実施の形態にあっては、グリップ体２０における開口側面に一致させて、ソケット本体１の周側壁の外方から一対の電極挿入部１４夫々に各別に連通させるようにして一対の挿入案内スリット１５を切欠溝状に設けてあり、図６乃至図９に示す実施の形態にあっては、一対の電極挿入部１４自体は前面閉塞部１３に孔状にして左右に開穿形成されている。
【００１８】
グリップ体２０は、ソケット本体１の前面閉塞部１３に一体状にして連設され、ソケット本体１の側部がわで弾発的に開閉される支持開口となっている左右の湾曲した狭持片２１を備えることで正面から見てほぼＣ字状を呈しているものである。そして、ソケット本体１の側方からの直接の照明灯Ｌの挿入セットに対応できるように、その支持開口は前記の挿入案内スリット１５に対応させて挿入案内スリット１５の正面前方乃至は側面前方に配置してあって、このグリップ体２０における基底部で前面閉塞部１３に直接に一体化されている。左右の狭持片２１自体は、照明灯Ｌの直径幅員に比し大きくはない幅員の支持開口を形成しており、前面閉塞部１３から分離されて内外方向で揺動されることで支持開口を開閉させている。また、この左右の狭持片２１による支持内径であるグリップ体２０の内周径は、照明灯Ｌにおける被支持部分である例えば口金部分の外周径に比しやや小さくなるようにその内周湾曲面は口金部分の外周面に沿うようにしてあり、狭持片２１自体は先端に至るに伴い次第に肉薄に形成してあることで、支持開口からの照明灯Ｌの直接の挿入が円滑にできるように配慮してある。
【００１９】
左右の狭持片２１の先端には、外方に向けられて突出している挿入ガイド部２２が突設されており、また基底部の内周面には挿入した照明灯Ｌの一時的な逃げとなるような凹状の待避部２３が形成されている。またこのグリップ体２０の狭持片２１によって照明灯Ｌを支持するとき、支持開口を経て挿入された照明灯Ｌの中心位置（管径に対する中心位置）がソケット本体１における前面の中心位置に比しやや支持開口側寄りに位置するようにしてあることで、狭持片２１による弾発作用によって待避部２３と相俟ち照明灯Ｌを待避部２３側に押し寄せるようにして支持安定性の向上が得られるようにしてある。
【００２０】
またグリップ体２０における左右の狭持片２１の先端における支持開口の幅員は、前面閉塞部１３に形成してある左右の挿入案内スリット１５夫々の外側における辺縁相互間の幅員にほぼ等しくしてあることで、照明灯Ｌにおける左右一対の電極端子Ｐ夫々が挿入案内スリット１５夫々に対応合致した姿勢にあるときにのみ、照明灯Ｌをグリップ体２０内に挿入できるようにしてある。すなわちいずれか一方の挿入案内スリット１５にのみ左右の電極端子Ｐが位置するとき等のように、誤った方向からの、あるいは誤った姿勢によって挿入する場合にはグリップ体２０内に照明灯Ｌが挿入できないようにしてある。
【００２１】
一方、ソケット本体１内における支持部５及び電源端子２の具体的構成を説明すると、図１乃至図５に示す実施の形態にあっては、その支持部５は、開口されている左右の電極挿入部１４相互間であるソケット本体１の中央で前面閉塞部１３から突設配置した中央隔壁の側面、前面閉塞部１３の裏面、ソケット本体１の周側壁内周面夫々からソケット本体１内方に向けて設けた適数の支持突部６から成る。また、電源端子２は、前記挿通部１２から引き込んだ電源コード３が接続されている基部２Ａに、支持突部６によって内外から支持されることでソケット本体１内部の外側に位置する固定部２Ｂを介して、電極挿入部１４における電極端子Ｐの挿入によってソケット本体１の外方側に弾発的に待避し、電極端子Ｐに係合する係合部２Ｄを備えることで電極挿入部１４の開口側に弾発付勢されている接触部２Ｃを連設して成るものである。そして図３に示すように、ソケット本体１内に挿入配置された電源コード３付きの電源端子２は、その固定部２Ｂが適数の支持突部６によって支持されることで接触部２Ｃを電極挿入部１４内に臨ませており、ソケット本体１の側方から電極挿入部１４内に照明灯Ｌの電極端子Ｐが挿入されるとき、接触部２Ｃをソケット本体１の外方側へ弾発的に待避させ、その待避に伴い接触部２Ｃの係合部２Ｄが電極端子Ｐにしっくりと当接し、電気的に導通させるようにしてあるのである。
【００２２】
また図６乃至図９に示す実施の形態にあっては、その支持部５は、前記孔状の電極挿入部１４に合致してソケット本体１内の左右夫々に配置形成したほぼ筒状を呈し、電源端子２は、電源コード３が接続された基部２Ｅに、内方への閉鎖傾向に弾発付勢された角Ｃ字状を呈して筒状の支持部５内に挿入配置される接触部２Ｆを連設して成るものである。そしてソケット本体１の筒方向に沿って前方側から電極端子Ｐが電極挿入部１４内に挿入されるとき、接触部２Ｆを強制的にでもやや拡開させて電極端子Ｐが接触部２Ｆにしっくりと接触して電気的に接続されるようにしてあるのである。
【００２３】
次にこれの使用の一例を説明するに、例えば携帯型の照明器具（図示せず）におけるランプ収納部に配置される照明灯ベースＢの端部に設けておくもので、所定の照明灯Ｌの装着、交換等に際し、図１乃至図５に示す実施の形態にあっては、ソケット本体１の側方から照明灯Ｌを直接的に脱着するのであり、照明灯Ｌの電極端子Ｐをソケット本体１におけるスリット状の挿入案内スリット１５を経てソケット本体１の径方向に沿って電極挿入部１４内にスライド挿入する一方、照明灯Ｌの口金部分をグリップ体２０の支持開口を経て狭持片２１を強制的にでも拡開させながらグリップ体２０内に挿入するのである。このとき電極端子Ｐは、電極挿入部１４内にある電源端子２における接触部２Ｃを外方に押し広げながら係合部２Ｄに係合して電気的に接触され、口金部分はグリップ体２０内にしっかりと保持されるのである。
【００２４】
一方、図６乃至図９に示す実施の形態にあっては、ソケット本体１の前方から照明灯Ｌの電極端子Ｐを電極挿入部１４内の電源端子２の接触部２Ｆ内に挿入することで、グリップ体２０の前方から口金部分をも挿入し、電極端子Ｐを接触部２Ｆに電気的に接触させると同時に口金部分をグリップ体２０内にしっかりと保持させるのである。
【００２５】
その後は照明灯Ｌを保護する例えば保護カバー等によって包覆し、携帯用のものとして使用するのであり、携帯中での外部からの衝撃、振動等によっても照明灯Ｌはグリップ体２０によって確実に安定的に保持されるのである。
【図面の簡単な説明】
【００２６】
【図１】本発明を実施するための最良の形態を示す一部省略の分解斜視図である。
【図２】同じく正面図である。
【図３】同じく一部切欠の背面図である。
【図４】同じく平面図である。
【図５】同じく側断面図である。
【図６】同じく他の実施の形態における斜視図である。
【図７】同じく正面図である。
【図８】同じく一部切欠の背面図である。
【図９】同じく側断面図である。
【符号の説明】
【００２７】
Ｂ…照明灯ベース                        Ｌ…照明灯
Ｐ…電極端子
１…ソケット本体                        ２…電源端子
２Ａ…基部                              ２Ｂ…固定部
２Ｃ…接触部                            ２Ｄ…係合部
２Ｅ…基部                              ２Ｆ…接触部
３…電源コード                          ５…支持部
１１…背面板                            １２…挿通部
１３…前面閉塞部                        １４…電極挿入部
１５…挿入案内スリット                  １６…係止片
２０…グリップ体                        ２１…狭持片
２２…挿入ガイド部                      ２３…待避部
【図１】
2005093092.tif 000003
【図２】
2005093092.tif 000004
【図３】
2005093092.tif 000005
【図４】
2005093092.tif 000006
【図５】
2005093092.tif 000007
【図６】
2005093092.tif 000008
【図７】
2005093092.tif 000009
【図８】
2005093092.tif 000010
【図９】
2005093092.tif 000011